(57)【要約】【課題】碍子に対するバインド線の巻き付け作業が簡単且つ迅速に行うことができると共に、碍子に対して電線を充分に密着させ且つ安定した状態で固定できるようにする。【解決手段】一本の線状体を交差させて形成される環状の引掛部２と、引掛部２の交差部位２ａからその反対側に延出される一対の延出部３，３と、各延出部３，３から互いに離間する方向に延出されると共に、螺旋状に巻回して形成される一対の巻回部４，４とを有し、碍子１０の環状凹部１４に、電線Ａを水平に当接させた状態に維持するバインド線１を備え、交差部位２ａから引掛部２に電線Ａを挿入した後、バインド線１の各巻回部４，４を互いに近接する方向に押圧して、引掛部２の内径を拡径し、拡径された引掛部２の交差部位２ａと電線Ａとの隙間Ｓに、碍子１０の頭部１２を挿通した後、各巻回部４，４を電線Ａに巻回する。【選択図】図３
2010288413.tif 000002
【特許請求の範囲】
【請求項１】
一本の線状体を交差させて形成される環状の引掛部（２）と、該引掛部（２）の交差部位（２ａ）からその反対側に延出される一対の延出部（３，３）と、該各延出部（３，３）から互いに離間する方向に延出されると共に、螺旋状に巻回して形成される一対の巻回部（４，４）とを有し、碍子（１０）の環状凹部（１４）に、電線（Ａ）を水平に当接させた状態に維持するバインド線（１）を備え、交差部位（２ａ）から引掛部（２）に電線（Ａ）を挿入した後、バインド線（１）の各巻回部（４，４）を互いに近接する方向に押圧して、引掛部（２）の内径を拡径し、拡径された引掛部（２）の交差部位（２ａ）と電線（Ａ）との隙間（Ｓ）に、碍子（１０）の頭部（１２）を挿通した後、各巻回部（４，４）を電線（Ａ）に巻回するようにしたことを特徴とするバインド線の巻着方法。
【請求項２】
一本の線状体を交差させて形成される環状の引掛部（２１）と、該引掛部（２１）の交差部位（２１ａ）からその反対側に延出される一対の延出部（２２，２２）と、一方の延出部（２２）から外向きに折り曲げて延出されると共に、螺旋状に巻回して形成される巻回部（２３）と、他方の延出部（２２）の端部が湾曲して形成される掛止部（２４）とを有し、隣り合う碍子（１０，１０）の各環状凹部（１４，１４）に、電線（Ａ）を水平に当接させた状態に維持するバインド線（２０）を備え、交差部位（２１ａ）から引掛部（２１）に電線（Ａ）を挿入した後、隣り合う碍子（１０，１０）の間に掛止部（２４）を位置させて、バインド線（２０）の巻回部（２３）と掛止部（２４）を互いに近接する方向に押圧し、引掛部（２１）の内径を拡径して、碍子（１０）に拡径された引掛部（２１）と電線（Ａ）との隙間（Ｓ）に、隣り合う碍子（１０，１０）の各頭部（１２，１２）を挿通した後、巻回部（２３）を電線（Ａ）に巻回すると共に、掛止部（２４）を電線（Ａ）に掛け止めるようにしたことを特徴とするバインド線の巻着方法。
【発明の詳細な説明】
【技術分野】
【０００１】
本発明は、碍子に電線を固定する際に使用するバインド線の巻着方法に関する。
【背景技術】
【０００２】
碍子に電線を固定する際に使用される従来のバインド線としては、中央部に形成された逆Ｕ字形状の引掛部が、碍子の環状凹部に引っ掛けられ、該引掛部の両端部から互いに離間する方向に折り曲げられると共に、螺旋状に巻回して形成された一対の巻回部が、電線に対して螺旋状に巻回されるものが公知になっている（特許文献１参照）。
【０００３】
そして、既設の電柱間に配線された電線、又は、引留クランプから導出された電線の縁線に、上記バインド線を着脱する際にバインド線着脱工具が使用される。該バインド線着脱工具としては、例えば、絶縁操作棒と、該絶縁操作棒の先端部に固着された回動アームとを備えているものが公知なっている（特許文献２参照）。該回動アームは、該絶縁操作棒の軸心に対して直交方向に設けられた回動軸と、該回動軸の先端部に取り付けられた、電線の外径に対応した曲率半径で略Ｕ字形状に湾曲して形成された支持フック部と、該支持フック部の先端部に固着された、先端が尖った梃子とを有している。
【０００４】
そして、上述したバインド線とバインド線着脱工具を用いて、碍子に電線を固定する場合、作業者は、間接活線工事用把持具で碍子の環状凹部に、バインド線の引掛部を予め引っ掛けておき、引掛部の近傍に位置する部位から端部側に向かって順次処理していく。即ち、バインド線着脱工具の梃子の尖頭部を、バインド線の巻回部と電線の外周面との隙間にこじ入れると共に、支持フック部の湾曲部の外面を電線の外周面に当接する。その後、梃子を回転させつつ、支持フック部を電線に引っ掛ける。この状態で、梃子を電線の端部に向かって回転させていくことで、バインド線の巻回部が電線の外周面に沿って螺旋状に巻回されるようになる。
【先行技術文献】
【特許文献】
【０００５】
【特許文献１】特開２００３−２８１９５４号公報
【特許文献２】特開２００４−１５３９００号公報
【発明の概要】
【発明が解決しようとする課題】
【０００６】
しかしながら、従来のバインド線は、湾曲して形成された引掛部を碍子の環状凹部に引っ掛けるだけでは、電線を碍子に対して仮固定できないため、作業者は、バインド線の巻回部を電線の外周面に巻回するまで、電線を碍子に当接した状態を維持する必要がある。しかも、バインド線は、自体の剛性によって曲げにくいことに加えて、バインド線の引掛部と巻回部との距離が短いため、碍子の環状凹部に電線を充分に引きつけて、換言すれば、碍子と電線を充分に密着させて固定することが難しく、電線が不安定な状態で固定されてしまう場合もある。
【０００７】
そこで、本発明は、上記問題点を鑑み、碍子に対するバインド線の巻き付け作業が簡単且つ迅速に行うことができると共に、碍子に対して電線を充分に密着させ且つ安定した状態で固定できるようにしたバインド線の巻着方法を提供することを目的とする。
【課題を解決するための手段】
【０００８】
前記課題を解決するために、本発明に係るバインド線の巻着方法は、一本の線状体を交差させて形成される環状の引掛部２と、該引掛部２の交差部位２ａからその反対側に延出される一対の延出部３，３と、該各延出部３，３から互いに離間する方向に延出されると共に、螺旋状に巻回して形成される一対の巻回部４，４とを有し、碍子１０の環状凹部１４に、電線Ａを水平に当接させた状態に維持するバインド線１を備え、交差部位２ａから引掛部２に電線Ａを挿入した後、バインド線１の各巻回部４，４を互いに近接する方向に押圧して、引掛部２の内径を拡径し、拡径された引掛部２の交差部位２ａと電線Ａとの隙間Ｓに、碍子１０の頭部１２を挿通した後、各巻回部４，４を電線Ａに巻回するようにしたことを特徴とする。
【０００９】
この場合、バインド線１の交差部位２ａから引掛部２に電線Ａを挿入することによって、該交差部位２ａと、環状の引掛部２に挿入された電線Ａとを、碍子１０の環状凹部１４を挟むような位置関係に配置することができる。この位置関係にあって、バインド線１の引掛部２の内径を縮径するようにすれば、電線Ａを碍子１０に充分に引き寄せることができる。
【００１０】
即ち、バインド線１の各巻回部４，４を互いに近接する方向に押圧して、引掛部２の内径を拡径し、内径が拡径された引掛部２と電線Ａとの隙間に碍子１０の頭部１２を挿通すれば、バインド線１の引掛部２の内径が自己の弾性力によって縮径するので、碍子１０の環状凹部１４側に電線Ａが充分に引き寄せられることになる。つまり、バインド線１によって、電線Ａが碍子１０に仮固定できるようになる。したがって、作業者は、電線Ａを保持することなく巻回部４，４を巻回できるようになるので、作業を迅速且つ簡単に行うことができる。
【００１１】
さらに、バインド線１の巻回部４，４が電線Ａに巻回されるので、バインド線１の引掛部２はより強く締め付けられるようになり、碍子１０に電線Ａが密着することになる。即ち、碍子１０に対して電線Ａを安定且つ確実に固定できるようになる。
【００１２】
また、本発明に係るバインド線の巻着方法は、一本の線状体を交差させて形成される環状の引掛部２１と、該引掛部２１の交差部位２１ａからその反対側に延出される一対の延出部２２，２２と、一方の延出部２２から外向きに折り曲げて延出されると共に、螺旋状に巻回して形成される巻回部２３と、他方の延出部２２の端部が湾曲して形成される掛止部２４とを有し、隣り合う碍子１０，１０の各環状凹部１４，１４に、電線Ａを水平に当接させた状態に維持するバインド線２０を備え、交差部位２１ａから引掛部２１に電線Ａを挿入した後、隣り合う碍子１０，１０の間に掛止部２４を位置させて、バインド線２０の巻回部２３と掛止部２４を互いに近接する方向に押圧し、引掛部２１の内径を拡径して、碍子１０に拡径された引掛部２１と電線Ａとの隙間Ｓに、隣り合う碍子１０，１０の各頭部１２，１２を挿通した後、巻回部２３を電線Ａに巻回すると共に、掛止部２４を電線Ａに掛け止めるようにしたことを特徴とする。
【００１３】
この場合の巻着方法は、バインド線１の交差部位２１ａと、該交差部位２１ａから環状の引掛部２１に挿入された電線Ａとが、単体の碍子１０の環状凹部１４を挟むような位置関係になることで、碍子１０の環状凹部１４側に電線Ａを引き寄せることができる一方、掛止部２４を隣り合う碍子１０，１０の間に位置させることで、隣り合う碍子１０，１０間における、バインド線１の端末同士の干渉を防止しつつ、引掛部２１の締め付け作用も生じさせることができる。即ち、電線Ａを仮固定しつつ、隣り合う碍子１０，１０間における巻回作業の円滑化を図ることができるので、作業性が大幅に向上される。
【発明の効果】
【００１４】
以上のように、本発明によれば、一本の線状体を交差させて形成される環状の引掛部と、該引掛部からその反対側に延出される一対の延出部と、該各延出部から互いに離間する方向に延出されると共に、螺旋状に巻回して形成される一対の巻回部とを有するバインド線を備え、軸心に対して直交方向に電線が当接される碍子に対して、電線が当接される部位の反対側に、バインド線の交差部位を位置させた状態で、且つ、引掛部に電線を挿入させた状態で、各巻回部を互いに近接する方向に押圧して拡径し、拡径された引掛部と電線との隙間に碍子を挿通するようにしたので、碍子に対するバインド線の巻き付け作業が簡単且つ迅速に行うことができると共に、碍子に対して電線を充分に密着させ且つ安定した状態で固定することができる。
【００１５】
また、本発明によれば、バインド線の環状の引掛部内で、バインド線の交差部位と電線とが、碍子を挟むような位置関係を構成する一方、バインド線の延出部の端部が湾曲して形成された掛止部を、隣り合う碍子の間に位置させるようにしたので、隣り合う碍子の環状凹部に電線を水平に当接した状態に維持しつつ、巻回作業を円滑に行うことができる。即ち、隣り合う碍子に使用されるバインド線の巻き付け作業が簡単且つ迅速に行うことができる。
【図面の簡単な説明】
【００１６】
【図１】本発明の実施形態１に係るバインド線を示す図。
【図２】碍子を示した斜視図。
【図３】（ａ）は、引掛部に電線が挿入されたバインド線を、碍子の頭部の上方に位置させた状態を示す図、（ｂ）は、拡径された状態のバインド線の引掛部に、碍子の頭部を挿通する状態を示す図。
【図４】碍子に、図１のバインド線を使用して電線を固定した状態を示す図。
【図５】図４の拡大平面図。
【図６】本発明の実施形態２に係るバインド線を示す図。
【図７】抱き腕金構造を示す斜視図。
【図８】（ａ）は、引掛部に電線が挿入されたバインド線を、碍子の頭部の上方に位置させた状態を示す図、（ｂ）は、拡径された状態のバインド線の引掛部に、碍子の頭部を挿通する状態を示す図。
【図９】隣り合う碍子に、図６のバインド線を使用して電線を固定した状態を示す図。
【発明を実施するための形態】
【００１７】
以下、本発明の実施形態に係るバインド線について、図１〜図９を参照しつつ説明する。
なお、バインド線を巻着する際に使用されるバインド線着脱工具は、既存のものを使用するとして、その説明は省略する。また、本実施形態においては、既設の電柱間に配線される電線を碍子に固定する場合を例にとって説明する。
【００１８】
（実施形態１）
本実施形態１に係るバインド線１は、図１に示すように、一本の線状体を交差させて形成される環状の引掛部２と、該引掛部２の交差部位２ａからその反対側に延出される一対の延出部３，３と、該各延出部３，３から互いに離間する方向（互いに外向き）に折り曲げて延出されると共に、所定のピッチで螺旋状に巻回して形成される一対の巻回部４，４とを有している。そして、バインド線１は、外部からの力の作用で、上記各部２、２ａ、３、４の形状が変形される場合は、自己の弾性力によって、元の形状に復帰することができるようになっている。
【００１９】
引掛部２は、通常状態では、後述する碍子１０の環状凹部１４に引っ掛けられるように、その内径が該環状凹部１４の外径に略等しくなっている。そして、引掛部２は、外部からの力の有無によって、その内径が拡縮することになる。即ち、バインド線１の巻着時、巻回部４，４が互いに近接する方向に押圧されると、引掛部２の内径が拡径され、押圧が解除されると、上述した自己の弾性力によって、拡径された引掛部２は、元の状態（前記環状凹部１４の外径）に略等しくなるように縮径する。
【００２０】
延出部３は、バインド線１の交差部位２ａからその反対側、即ち電線Ａが配置される位置まで延出される。この延出距離は、短すぎれば、締付力は大きくなるが作業性が悪くなり、長すぎれば、作業性は良くなるが、締付力は弱くなる。このため、巻回部４，４が電線Ａに巻回されることで、交差部位２ａ、各延出部３，３が引っ張られて、バインド線１全体に締め付け作用が生じることになるように設定されている。
【００２１】
巻回部４，４は、比較的大きなピッチで、凸凹の波形が２回連続して形成されると共に、電線Ａの外径よりもやや小さい内径を有している。この理由としては、電線Ａに対する巻回部４，４の巻き付け回数をできる限り少なくしつつ、巻き付けによる締付力及び支持力をできるだけ離れた位置まで電線Ａに作用させるためである。したがって、巻回部４，４が、引掛部２の近傍ではなく、引掛部２からできるだけ離れた位置まで巻回されることで、引掛部２を充分に締め付けることができると共に、電線Ａを安定して水平支持することができる。
【００２２】
ここで碍子１０の構成について図２を参照して説明する。該碍子１０は、所謂ピン碍子であって、内部に複数のひだ（図示せず）が形成された大径の基部１１と、該基部１１よりも小径の頭部１２とが連設されている。そして、基部１１の中央部に、腕金に取り付けるためのネジ棒からなるピン１３が垂設されている。また、基部１１と頭部１２との間に、頭部１２よりも小径の環状凹部（括れ）１４が形成されている。
【００２３】
つぎにバインド線１の巻着方法について図３（ａ）、（ｂ）〜図５を参照して説明する。まず、図３（ａ）に示すように、バインド線１の交差部位２ａから引掛部２に電線Ａを挿入する。この際、バインド線１は、図３（ａ）に示すように、一方の巻回部４及び延出部３が電線Ａの上側に位置し、さらに、該一方の延出部３に続く引掛部２が電線Ａの上側から下側を通って交差し、該交差部位２ａに続く他方の延出部３及び巻回部４が電線Ａの下側に位置するようになる。つまり、電線Ａが環状の引掛部２を通って、一方の延出部３と他方の延出部３とで上下から挟持されるようになっている。
【００２４】
つぎに、図３（ｂ）に示すように、電線Ａに対して上下に位置するバインド線１の各巻回部４，４を互いに近接する方向に押圧して、引掛部２の内径を拡径する一方、碍子１０に対して、バインド線１の交差部位２ａを電線Ａが当接する部位とは反対側に位置させた状態で、且つ、電線Ａを当接部位に位置させた状態で、碍子１０の頭部１２の上方から、内径が拡径された引掛部２を挿入する。即ち、交差部位２ａと電線Ａとの隙間Ｓに碍子１０の頭部１２が挿通される。つまり、バインド線１の引掛部２内で、交差部位２ａと、電線Ａとが碍子１０を挟むような位置関係を構成することになる。
【００２５】
そして、各巻回部４，４に対する押圧を解除すると、バインド線１は、自己の弾性によって、引掛部２の内径が縮径されると共に、各巻回部４，４が互いに近接する方向に若干引き寄せられて、バインド線１全体に締付力が生じることになり、碍子１０側に電線Ａが引き寄せられて、碍子１０の環状凹部１４に電線Ａが仮止めされた状態になる。
【００２６】
この状態から、図４に示すように、バインド線１の各巻回部４，４を電線Ａに沿って巻回すると、バインド線１の各延出部３，３が互いに離間する方向に引っ張られ、バインド線１がより強く締め付けられて、碍子１０の環状凹部１４に電線Ａが充分に引き寄せられる。即ち、碍子１０の環状凹部１４に電線Ａが密着するようになり、碍子１０に電線Ａが本固定されて、安定支持される（図５参照）。
【００２７】
（実施形態２）
つぎに実施形態２に係るバインド線について図６〜図９を参照して説明する。なお、本実施形態２では、便宜上、図６において、一本のバインド線のみを図示しているが、後述する巻回部と掛止部とが左右逆に設けられた一対のものを使用するものとする。
【００２８】
本実施形態２に係るバインド線２０は、後述する抱き腕金構造において使用されるものであり、図６に示すように、一本の線状体を交差させて形成される環状の引掛部２１と、該引掛部２１の交差部位２１ａからその反対側に延出される一対の延出部２２，２２と、一方の延出部２２から外向きに折り曲げて延出されると共に、螺旋状に巻回して形成される巻回部２３と、電線Ａに掛け止められるように、他方の延出部２２の端部が湾曲して形成される掛止部２４とを備えている。
【００２９】
引掛部２１と、延出部２２，２２と、巻回部２３とは、前記実施形態１のバインド線１の構成（図１参照）と同一であるため、説明は省略する。異なる点としては、掛止部２４を備えた点であり、該掛止部２４は、電線Ａに引っ掛けやすいように、フックのような形状に形成されている。即ち、延出部２２の端部が湾曲して形成されている。このため、隣り合う碍子１０，１０の間での巻回作業において、バインド線２０の端部同士が干渉することを回避できると共に、延出部２２の間近で電線Ａに掛け止めることで、延出部２２からの締付力を直に作用させることができる。つまり、後述の抱き腕金構造３０に適したバインド線２０の構成となっている。
【００３０】
ここで、抱き腕金構造３０について図７を参照して説明する。該抱き腕金構造３０は、電柱３１を挟んで平行状に配設される一対の腕金３２，３２と、各腕金３２，３２の上面に隣り合うように直立して配設される複数の碍子１０，…とを有している。
【００３１】
つぎにバインド線２０の巻回方法について図８（ａ），（ｂ）及び図９を参照して説明する。なお、これらの図においては、図７に示した電柱３１及び腕金３２は、省略してあるが、一対の腕金に配設されて隣り合った碍子１０，１０を図示したものとする。
【００３２】
まず、図８（ａ）に示すように、バインド線２０の交差部位２１ａから電線Ａを挿入した状態で、図８（ｂ）に示すように、一方の巻回部２３及び他方の延出部２２を互いに近接する方向に押圧し、引掛部２１の内径を拡径する。この際、バインド線２０の掛止部２４が隣り合う碍子１０，１０の間に位置するように、バインド線２０を配置する。
【００３３】
この状態で、バインド線２０の交差部位２１ａと電線Ａとの隙間Ｓに、碍子１０の環状凹部１４を挟むようにして、内径が拡径されたバインド線２０の引掛部２１に、碍子１０の頭部１２を挿通する（図８（ｂ）参照）。
【００３４】
その後、前記押圧を解除すると、拡径された引掛部２１の内径が縮径されて、一方の碍子１０の環状凹部１４に電線Ａが仮止めされた状態になる。そして、これと同様に、他方の腕金３２に配設された碍子１０にも電線Ａを仮固定する。この際、隣り合う碍子１０，１０の間に各バインド線２０の掛止部２４，２４が対向することで、互いの端部が干渉することなく、円滑に巻回作業が行える。
【００３５】
そして、各バインド線２０，２０の巻回部２３，２３を電線Ａに巻回すると共に、掛止部２４，２４を電線Ａに掛け止めると、碍子１０の環状凹部１４に電線Ａが引き寄せられて、即ち、碍子１０の環状凹部１４に電線Ａが密着するようになり、碍子１０の環状凹部１４に電線Ａが本固定される（図９参照）。
【００３６】
なお、前記実施形態１，２の場合、バインド線１，２０の素材は特に限定するものではないが、引掛部２，２１を拡径した場合に元の状態に戻ることのできる弾性を有するものが好ましい。
【００３７】
また、前記実施形態１，２の場合、バインド線１，２０の端末は特に処理していないが、該端末に絶縁性のキャップを装着するようにしてもよい。
【００３８】
また、前記実施形態１，２の場合、既設の電柱間に配線される電線Ａを例にとって説明したが、引留クランプから導出された電線の縁線にも適用できることは言うまでもない。
【００３９】
また、隣り合う碍子１０，１０間の距離が比較的大きい場合は、前記実施形態１のバインド線１と、前記実施形態２のバインド線２０とを組み合わせて使用してもよい。
【符号の説明】
【００４０】
１，２０…バインド線、２，２１…引掛部、２ａ，２１ａ…交差部位、３，２２…延出部、４，２３…巻回部、２４…掛止部、１０…碍子、１１…基部、１２…頭部、１３…ピン、１４…環状凹部、３０…抱き腕金構造、３１…電柱、３２…腕金、Ａ…電線、Ｓ…隙間。
【図１】
2010288413.tif 000003
【図２】
2010288413.tif 000004
【図３】
2010288413.tif 000005
【図４】
2010288413.tif 000006
【図５】
2010288413.tif 000007
【図６】
2010288413.tif 000008
【図７】
2010288413.tif 000009
【図８】
2010288413.tif 000010
【図９】
2010288413.tif 000011